(57)【要約】【課題】  構造を簡単にして掃除を容易にするとともに製造コストを低減する。【解決手段】  汚物を受けうる上端開口２を有して略逆錘形に形成され下端部に汚物の出口３を設けた容器１と、容器１を回転可能に支持する支持体１０と、容器１を回転駆動する駆動部４０と、容器１の内面を洗浄する洗浄手段５０とを備え、支持体１０を、容器１の上端開口２側を露出させるとともに容器１の下端部を回転可能に支持する下端支持部１１を備えて構成した。【選択図】  図１
2007162372.tif 000002
【特許請求の範囲】
【請求項１】
汚物を受けうる上端開口を有して略逆錘形に形成され下端部に汚物の出口を設けた容器と、該容器を回転可能に支持する支持体と、上記容器を回転駆動する駆動部と、上記容器の内面を洗浄する洗浄手段とを備えた便器において、
上記支持体を、上記容器の上端開口側を露出させるとともに該容器の下端部を回転可能に支持する下端支持部を備えて構成したことを特徴とする便器。
【請求項２】
上記容器を、上記下端支持部に対して着脱可能にしたことを特徴とする請求項１記載の便器。
【請求項３】
上記支持体を、上記下端支持部を床に対して支持するスタンドを備えて構成したことを特徴とする請求項１または２記載の便器。
【請求項４】
上記スタンドに、上下方向に伸縮して上記容器の高さ調整を可能にする伸縮機構を備えて構成したことを特徴とする請求項３記載の便器。
【請求項５】
上記支持体を、上記下端支持部を壁に固定する取付部を備えて構成したことを特徴とする請求項１または２記載の便器。
【請求項６】
上記支持体に、上記容器の上端開口の向く角度を調整する角度調整機構を設けたことを特徴とする請求項１，２，３，４または５記載の便器。
【請求項７】
上記容器の下端部に軸部を形成し、上記下端支持部に該軸部を軸支する軸受部を設け、上記駆動部を、上記支持体に設けられ上記軸部を軸回りに回転するモータを備えて構成したことを特徴とする請求項１，２，３，４，５または６記載の便器。
【請求項８】
上記容器の下端部に軸部及び該軸部を中心とするギアを設け、上記下端支持部に上記軸部を回転可能に受ける軸受部を形成し、
上記駆動部を、上記支持体に回転可能に設けられ上記ギアと噛合するウォームギアと、該ウォームギアの軸を回転するモータとを備えて構成したことを特徴とする請求項１，２，３，４，５または６記載の便器。
【請求項９】
上記容器及び支持体を複数設け、
上記各容器のギアに噛合するウォームギアの軸を一体に形成し、該軸を１つのモータで回転させたことを特徴とする請求項８記載の便器。
【請求項１０】
上記洗浄手段を、上記容器に流される洗浄液と、該洗浄液を上記容器の内面に向けて噴射する洗浄液噴射装置を備えて構成したことを特徴とする請求項１，２，３，４，５，６，７，８または９記載の便器。
【請求項１１】
上記支持体に、上記容器の汚物の出口からの汚物を排出する排出管を設け、該排出管を流れる汚物を吸引する汚物吸引ポンプを設けたことを特徴とする請求項１，２，３，４，５，６，７，８，９または１０記載の便器。
【発明の詳細な説明】
【技術分野】
【０００１】
本発明は、汚物を受ける容器を回転可能にして容器の内面の洗浄を確実に行なうことができるようにした便器に関する。
【背景技術】
【０００２】
従来、この種の便器としては、特許文献１記載の技術が知られている（特開昭５７−２０１４３７号公報参照）。
図７に示すように、この便器Ｂａは、着座タイプの便器であり、汚物を受ける上端開口１０１及び下端開口１０２を有する断面円形で略逆錘形の容器１００と、容器１００を覆う外筒１０４と、容器１００を外筒１０４に対して回転可能に支持する伸縮螺旋１０５と、容器１００内に水を噴射して容器１００の内面を洗浄する洗浄装置１０６とを備えている。また、容器１００の上端開口１０１には、使用者が座る体重受輪１０７が配置され、この体重受輪１０７と容器１００の上端開口１０１に設けた鍔部との間にはスラスト球１０８が配列されている。
【０００３】
そして、使用の際に、使用者が体重受輪１０７に座ると、その体重で体重受輪１０７が伸縮螺旋１０５を縮め、使用後に立ち上がると、縮まった伸縮螺旋１０５の旋回反転回転作動が起こり、容器１００が自動的に反転回転させられる。この状態で、洗浄装置１０６からの洗浄液で容器１００の内面を洗浄し、洗浄液を汚物とともに容器１００の下端開口１０２から排出するようにしている。この洗浄の際には、容器１００が回転するので洗浄液が容器１００の内面に満遍なく行き渡り、洗浄が確実に行なわれるとともに、洗浄液が少なくても洗浄が可能になり省力化が図られる。
【０００４】
【特許文献１】特開昭５７−２０１４３７号公報
【発明の開示】
【発明が解決しようとする課題】
【０００５】
ところで、従来の便器Ｂａにおいては、容器１００及び外筒１０４が二重で構造が複雑なことから、容器１００と外筒１０４の間等の掃除が難しくなってしまうという問題があった。また、構造が複雑なので、製造コストも高くなってしまうという問題もあった。
本発明は上記の問題点に鑑みて為されたもので、構造を簡単にして掃除を容易にするとともに製造コストを低減した便器を提供することを目的とする。
【課題を解決するための手段】
【０００６】
このような目的を達成するための本発明の便器は、汚物を受けうる上端開口を有して略逆錘形に形成され下端部に汚物の出口を設けた容器と、該容器を回転可能に支持する支持体と、上記容器を回転駆動する駆動部と、上記容器の内面を洗浄する洗浄手段とを備えた便器において、上記支持体を、上記容器の上端開口側を露出させるとともに該容器の下端部を回転可能に支持する下端支持部を備えて構成している。
【０００７】
これにより、容器は、その上端開口側が露出させられて下端支持部で支持されるので、支持体で容器の外側が全部覆われる場合に比較して、構造が簡単になり、便器の製造コストを低減することができる。
また、この便器を使用するときは、人が用を済ませた後、駆動部により容器を回転駆動させるとともに、洗浄手段で容器の内面を洗浄していく。
この場合、駆動部により容器が回転させられているので、洗浄手段が容器の内面を均一に洗浄できる。これにより、容器の内面に付着した汚物は、容器にはほとんど残らないので、悪臭の原因となる尿石の発生を抑制することができる。
【０００８】
また、便器を掃除するときには、容器の外側に多少の汚物が飛散して付着した程度の汚れならば、容器の外側に付着した汚物を雑巾などで拭き取るようにする。この際、容器は、その上端開口側が露出させられて下端支持部で支持され、構造が簡単になっているので、容器の外側に多少汚物が飛散して付着しても、容器と支持体とを分離しなくても容器の外側を拭き取ることができ、便器の掃除を容易に行なうことができる。
【０００９】
また、必要に応じ、上記容器を、上記下端支持部に対して着脱可能にしている。
これにより、容器と下端支持部の間に入り込んだ汚物による汚れが酷くなり、便器の掃除を念入りに行なう場合には、容器を下端支持部から取り外し、容器外側や下端支持部と容器との接触部分を雑巾で拭く等する。そのため、容器を下端支持部から取り外して掃除するので、容器全体の洗浄を容易に行なうことができる。また、構造が簡単なので、容器の取り外し作業を容易に行なうことができ、より一層便器の掃除を容易に行なうことができる。
【００１０】
更に、必要に応じ、上記支持体を、上記下端支持部を床に対して支持するスタンドを備えて構成している。これにより、便器は、単に床に載置するだけで設置でき、設置作業を容易に行なうことができる。また、従来の陶器製の便器に比較して軽量になることから、便器の移動を極めて容易に行なうことができる。
更に、必要に応じ、上記スタンドに、上下方向に伸縮して上記容器の高さ調整を可能にする伸縮機構を備えて構成している。これにより、便器を使用する使用者等に合わせて容器の高さ位置を調整でき、便器を使用する人が容易に用を済ませることをできるようになる。
【００１１】
また、必要に応じ、上記支持体を、上記下端支持部を壁に固定する取付部を備えて構成している。これにより、壁に便器を取り付けることができる。
次にまた、必要に応じ、上記支持体に、上記容器の上端開口の向く角度を調整する角度調整機構を設けている。これにより、便器を使用する使用者等に合わせて容器の上端開口の向く方向を調整でき、便器を使用する人が容易に用を済ませることをできるようになる。
【００１２】
更にまた、必要に応じ、上記容器の下端部に軸部を形成し、上記下端支持部に該軸部を軸支する軸受部を設け、上記駆動部を、上記支持体に設けられ上記軸部を軸回りに回転するモータを備えて構成している。
上記容器の軸部が上記下端支持部の軸受部で軸支されて、モータで回転させられるので、回転が安定し、洗浄手段による容器の内面の洗浄を、容器の内面全体に亘って均一にできる。
【００１３】
そしてまた、必要に応じ、上記容器の下端部に軸部及び該軸部を中心とするギアを設け、上記下端支持部に上記軸部を回転可能に受ける軸受部を形成し、上記駆動部を、上記支持体に回転可能に設けられ上記ギアと噛合するウォームギアと、該ウォームギアの軸を回転するモータとを備えて構成している。
これにより、下端支持部にモータを設けなくてもよくその場合、モータの電源が下端支持部にこないので、汚物等からの電源側の防水を下端支持部に設けなくてもよくなる。
【００１４】
また、必要に応じ、上記容器及び支持体を複数設け、上記各容器のギアに噛合するウォームギアの軸を一体に形成し、該軸を１つのモータで回転させている。
これにより、１つのモータで複数の容器を回転させることができる。
【００１５】
更に、必要に応じ、上記洗浄手段を、上記容器に流される洗浄液と、該洗浄液を上記容器の内面に向けて噴射する洗浄液噴射装置を備えて構成している。
これにより、容器を洗浄する際には、駆動部で容器を回転駆動させながら洗浄液噴射装置から洗浄液を容器の内面に噴射する。洗浄液は、容器の内側面に付着した汚物とともに容器の内壁を伝って容器の下端側に流れていく。そのため、容器が駆動部により回転させられた状態で洗浄液が容器の内面に噴射されるので、容器の内面に均一に洗浄液が吹きかけられ容器内全体を洗浄できる。また、洗浄手段による容器の洗浄時には、駆動部により容器が回転させられているので、洗浄手段が容器の内面を均一に洗浄でき、容器の内面に付着した汚物は、容器にはほとんど残らなくなり、悪臭の原因となる尿石の発生を抑制することができる。
【００１６】
次にまた、必要に応じ、上記支持体に、上記容器の汚物の出口からの汚物を排出する排出管を設け、該排出管を流れる汚物を吸引する汚物吸引ポンプを設けている。
これにより、排出管を流れる汚物は、汚物吸引ポンプにより吸引されて容器の外部に排出されていく。これにより、汚物が比較的高速で強制的に圧送されるので、汚物の流速が早くなり、容器及び排出管内に汚物が残りにくくなり、汚物中の尿が尿石となって堆積する事態が防止される。そのため、容器の内部に堆積する尿石の発生を防止できる。また、尿石による排出管の詰まりが防止され、排出管に堆積した尿石を取り除く高圧洗浄を行なう必要が無くなり、その結果、メンテナンスにかかる費用を軽減することができる。また、汚物吸引ポンプが設置されているので、汚物を高い場所に圧送することもでき、汚物の処理場所が遠距離であっても使用できる。
【発明の効果】
【００１７】
本発明の便器によれば、支持体を、容器の上端開口側を露出させるとともに容器の下端部を回転可能に支持する下端支持部を備えて構成したので、構造が簡単になり、便器の製造コストを低減することができる。また、便器を掃除するときには、容器の外側に多少の汚物が飛散して付着した程度の汚れならば、容器の外側に付着した汚物を雑巾などで拭き取るようにする。そのため、容器の外側に多少汚物が飛散して付着しても、容器と支持体とを分離しなくても拭き取ることができ、便器の掃除を容易に行なうことができる。
【発明を実施するための最良の形態】
【００１８】
以下、添付図面に基づいて、本発明の実施の形態に係る便器について詳細に説明する。
【００１９】
図１及び図２に示すように、本発明の実施の形態の便器は、所謂、男性用の小便器であり、汚物を受けうる上端開口２を有して略逆錘形に形成され下端部に汚物の出口３を設けた容器１と、容器１を回転可能に支持する支持体１０と、容器１を回転駆動する駆動部４０と、容器１の内面を洗浄する洗浄手段５０とを備えて構成されている。
【００２０】
容器１は、例えば、ポリプロピレン等の樹脂で形成され、上端開口２から下端開口に向けて縮径する逆錘形状の容器本体４と、容器本体４の下端に連続して設けられる横断面円形のカップ体５とを備えてなる。この容器１には、容器本体４の上端開口２から汚物（小便）である汚水が入れられる。汚物の出口３は、カップ体５の側壁に、カップ体５の軸回りに複数列設されている。
また、容器本体４の下端側からカップ体５の外周は、後述の下端支持部１１に設けた軸受部１６に軸支される軸部６に形成されている。
【００２１】
支持体１０は、容器１の上端開口２側を露出させるとともに容器１の下端部を回転可能に支持する下端支持部１１と、下端支持部１１を床に対して支持するスタンド２０とを備えて構成されている。
下端支持部１１は、容器１を着脱可能に支持しており、容器１の下端側が開放口１２から遊挿されるとともにこの容器１の下端側を覆うカップ状に形成され、容器１の出口３から出てきた汚水を受けている。また、下端支持部１１は、開放口１２側が容器本体４の外形に沿って略逆錘形に形成されている。
【００２２】
また、下端支持部１１には、汚物である汚水を下端支持部１１の外部に排出する排出管１３が設けられている。この排出管１３は、下端支持部１１に設けた排出口１３ａに接続されている。排出管１３は、排出口１３ａに接続された汚水が流れるチューブ１４を備えて構成され、汚水等が溜められる汚水貯留槽９２に連通している。チューブ１４は、フレキシブルな素材で構成されている。また、排出管１３には、排出管１３内を流れる汚水を吸引して汚水貯留槽９２側に送る汚物吸引ポンプ９５が設けられている。
また、下端支持部１１の内周面には、軸部６を軸支する軸受部１６が形成されている。実施の形態においては、この軸受部１６と軸部６との間にクリアランスが多少形成される。
【００２３】
スタンド２０は、床に載置されるベース２１と、ベース２１に立設される支柱２２とを備えてなる。
ベース２１は、板状に形成されている。
支柱２２には、上下方向に伸縮して容器１の高さ調整を可能にする伸縮機構２５が備えられている。伸縮機構２５は、ベース２１に一体に設けられる筒体２６と、筒体２６に挿通されるロッド２７と、筒体２６の上端近傍に設けた雌ネジ部２８と、雌ネジ部２８にネジ込まれ、筒体２６に挿通されたロッド２７を締め付けるネジ部材２９とを備えてなる。
【００２４】
筒体２６は、その内部に、ロッド２７が進出または後退可能に挿通される。ロッド２７は、筒状に形成され、内部にチューブ１４が挿通され、その上側に下端支持部１１が取り付けられる。
このネジ部材２９は、ロッド２７の筒体２６に対して進出または後退させる際に、ロッド２７に対する締め付けをゆるめ、ロッド２７を筒体２６に対する適宜の進出位置で締め付けることにより、容器１の高さ位置が決められる。
【００２５】
また、図３にも示すように、支持体１０には、容器１の上端開口２の向く角度を調整する角度調整機構３０が設けられている。角度調整機構３０は、下端支持部１１に設けられる突設体３１と、ロッド２７の上端に設けられ突設体３１を保持する保持部材３２とを備えて構成されている。
突設体３１は、下端支持部１１の下側に突設され、容器本体４の軸に平行な平面を有した板状に形成されている。また、突設体３１には、貫通孔３３が設けられている。
保持部材３２は、突設体３１を挾持する挾持部３５により構成され、ロッド２７に挿通される筒状のロッド取付部３４を介してロッド２７の上端に固定される。
【００２６】
ロッド取付部３４は、内部にロッド２７が挿通される筒状に形成されている。
挾持部３５は、ロッド取付部３４の上側に設けられ突設体３１が間に位置させられる一対の板体３６と、この一対の板体３６間に架設され貫通孔３３に挿通される軸体３７とを備えてなる。
軸体３７は、一対の板体３６の両方に貫通するボルトで構成されている。軸体３７は、ボルトの頭及び軸体３７の雄ネジに螺合するナット３８により、一対の板体３６と突設体３１とを締め付け可能になっている。
そして、容器１の上端開口２の角度を調整する場合には、軸体３７をナット３８に対して緩めた状態で、軸体３７を軸に下端支持部１１を回転する。その後、適宜の位置で軸体３７をナット３８にネジ込み、軸体３７のボルトの頭及びナット３８で一対の板体３６を挟み付けて、この板体３６で板体３６間の突設体３１を挾持する。
図中、３９は、角度調整機構３０の軸体３７であるボルト３７ａの頭及び軸体３７に螺合するナットを保護するカバーである。
【００２７】
駆動部４０は、下端支持部１１の底壁１５の裏側に設けた収納空間４２に設けられたモータ４１で構成されている。モータ４１が収納される収納空間４２は、下端支持部１１の底壁１５側に下端支持部１１に一体に設けられる有底筒状の収納ケース４３により形成される。モータ４１は、例えば、ギヤードモータで構成されている。
また、モータ４１の駆動軸４４は、下端支持部１１の底壁１５に貫通し、この底壁１５に設けた軸受１５ａにより駆動軸４４が回転可能に軸支される。また、駆動軸４４は、容器１のカップ体５の底壁７の中心に設けた挿通孔１７に挿通される。そして、駆動軸４４の先端側に形成した雄ネジに螺合する固定ナット４５により容器１が固定される。また、固定ナット４５は、雄ネジに対してネジ戻して、駆動軸４４からの取り外しが可能になっている。そのため、容器１は、下端支持部１１に対して着脱可能になっている。
図中、４６は、平ワッシャー，４７はパッキンである。
【００２８】
また、洗浄手段５０は、容器１に流される洗浄液と、洗浄液を上記容器１の内面に向けて噴射する洗浄液噴射装置５１とを備えて構成されている。
洗浄液は、例えば、水で構成されている。
洗浄液噴射装置５１は、洗浄液を噴射するノズル５２を有した洗浄液噴射部５３と、洗浄液が溜められる洗浄液貯留槽５４と、洗浄液貯留槽５４の洗浄液を吸引するとともに送給管５５を介してノズル５２に洗浄液を送給する洗浄液吸引ポンプ５６とを備えてなる。
洗浄液噴射部５３は、樹脂等により略卵形に形成されている。また、洗浄液噴射部５３は、ノズル５２に洗浄液を送給し、かつ伸縮可能に下端支持部１１に設けられる送給管５５により上端開口２の上側近傍に支持される。また、洗浄液噴射部５３には、容器１の上端開口２端縁が入り込む溝が形成されている。
また、洗浄液噴射部５３には、例えば、送給管５５を介して洗浄液が送給される。
【００２９】
更にまた、便器には、洗浄液吸引ポンプ５６及びモータ４１を作動させる制御部６０が設けられている。この制御部６０は、洗浄液噴射部５３に設けられ、便器の前に立った人を検知する人検知センサ６１の検知に基づいてモータ４１，洗浄液吸引ポンプ５６及び汚物吸引ポンプ９５を制御する。制御部６０の制御については、後述する。
【００３０】
この便器にあっては、容器１の外側全体が支持体１０により覆われて２重になっているものに比較して、構造が簡単なので設置作業も容易でかつ、製造コストも低減できる。
また、この便器を設置するときは、スタンド２０のベース２１を床に載置し、筒体２６にロッド２７を挿通し、ロッド２７上端に下端支持部１１を取り付ける。この際、支持体１０にスタンド２０を備えたので、便器は、単に床に載置するだけで設置でき、設置作業を容易に行なうことができる。
また、この際、伸縮機構２５のボルトを緩めて筒体２６に対してロッド２７を進出または後退して適宜の位置で、雌ネジ２８に対してネジ部材２９をネジ込んでロッド２７を締め付け、容器１の高さ位置を調整する。また、軸体３７であるボルト３７ａを緩めて、容器１の上端開口２の向く角度を調整し、適宜の角度でボルト３７ａを締め付けて、容器１の角度を調整する。これにより、普段便器を使用する使用者の体格等に合わせて、容器１の高さを調整したり、容器１の上端開口２の向きの角度を調整したりし、便器を使用する人が容易に用を済ませられるようになる。
【００３１】
次に、便器を使用する場合について説明する。
この便器の前に人が立つと、人検知センサ６１が、この人を検知する。
人が排尿する等し、汚水が上端開口２から容器１内に入れられると、容器１の内側面を伝って容器１の下端側に流れていき、汚物の出口３から汚水が出て行く。
その後、人が排尿等を終えて便器の前から立ち去ると、これを人検知センサ６１が便器の前から人がいなくなったことを検知する。この際、制御部６０は、洗浄液吸引ポンプ５６、汚物吸引ポンプ９５及びモータ４１を作動させる。
【００３２】
この際、モータ４１が作動すると、モータ４１の駆動軸４４により、容器１が容器１の軸周りに回転を始め、ノズル５２から噴射させられた洗浄液が、容器１の内側面に付着した汚水とともに容器１の内壁を伝って容器１の下端側に流れていく。そして、この汚水と洗浄液の混ざった液体は、汚物の出口３から出て行く。汚物の出口３からの汚水と洗浄液の混ざった液体は、汚物吸引ポンプ９５の吸引により汚水貯留槽９２に至る。
また、この際、ノズル５２からの洗浄液は、容器１がモータ４１により回転させられ、容器１の内面に均一に洗浄液が吹きかけられるので、容器１内全体を洗浄できる。これにより、容器１の内面に付着した汚れが、洗浄液で流されて容器１にはほとんど残らないので、悪臭の原因となる尿石の発生を抑制することができる。
更に、ノズル５２から噴射された洗浄液により、容器１内面の汚水等が流されるので、洗浄を確実に行なうことができる。
更にまた、容器１の回転時には、下端支持部１１に設けた軸受部１６が容器１の軸部６を軸支しているので、容器１の回転が安定する。
【００３３】
また、この際、排出管１３を流れる汚水は、汚物吸引ポンプ９５により吸引されて下端支持部１１の外部に排出されていく。これにより、汚物が比較的高速で強制的に圧送されるので、汚物の流速が早くなり、容器１，下端支持部１１及び排出管１３内に汚水が残りにくくなり、汚水中の尿が尿石となって堆積する事態が防止される。そのため、容器１の内部及び下端支持部１１の内部に堆積する尿石の発生を防止できる。また、尿石による排出管１３の詰まりが防止され、排出管１３に堆積した尿石を取り除く高圧洗浄を行なう必要が無くなり、その結果、メンテナンスにかかる費用を軽減することができる。また、汚物吸引ポンプ９５が設置されているので、汚水を高い場所に圧送することもでき、汚物の処理場所が遠距離であっても使用できる。
その後、所定時間経過したならば、洗浄液吸引ポンプ５６を停止させ、モータ４１を停止させる。
【００３４】
次に、便器の掃除について説明する。
例えば、容器１の外側に多少の汚水が飛散して付着した程度の汚れならば、容器１の外側に付着した汚水を雑巾などで拭き取るようにする。
この際、容器１は、その上端開口２側が露出させられて支持体１０に支持されるので、支持体１０で容器１の外側が全部覆われる場合に比較して、構造が簡単なので、容器１の外側に多少汚水が飛散して付着しても、すぐに拭き取ることができ、尿石等汚臭の原因となる物質の発生を抑制できる。
【００３５】
次に、容器１と下端支持部１１の間に入り込んだ汚水等により汚れが酷くなり、便器の掃除を念入りに行なう場合には、まず、モータ４１の駆動軸４４に螺合された固定ナット４５を駆動軸４４から取り外し、容器１を下端支持部１１から取り外し、容器１や下端支持部１１を雑巾などでふき取るようにする。
この際、容器１が下端支持部１１に対して着脱可能なので、容器１全体の洗浄を容易に行なうことができる。また、構造が簡単なので、容器１の取り外し作業を容易に行なうことができ、より一層便器の掃除を容易に行なうことができる。
【００３６】
次に、本発明の別の実施の形態に係る便器について説明する。
図４乃至図９に示すように、この便器は、上記のものと異なり、複数の便器を並べて便器のシステムを構築して使うタイプのものである。
また、支持体１０には、スタンド２０が無く、替わりに、下端支持部１１を壁に固定する取付部７０が備えられている。下端支持部１１と取付部７０とは、角度調整機構３０を介して取り付けられる。
取付部７０は、平面を有した一対の板状体７１で構成されている。
角度調整機構３０は、下端支持部１１の下側に軸が略水平に設けられる円筒状の回転軸７３と、板状体７１に設けられる軸受孔７４と、容器１の角度を固定するストッパ７２とを備えてなる。
ストッパ７２は、ピン７５と、下端支持部１１の上側に設けられピン７５を挿入可能な挿入孔７６と、取付部７０に設けられ挿入孔７６とともにピン７５が挿入される固定孔７７とを備えて構成されている。
【００３７】
また、上記のものとは駆動部も異なる。
図９に示すように、駆動部４０ａは、回転軸７３の内部に設けられるウォーム８０と、容器１の下端外側に設けられウォーム８０と噛合するウォームホイール８１と、ウォーム８０を回転駆動するモータ４１ａとを備えてなる。ウォーム８０は、隣り合う便器のウォーム８０と同動するように互いに回動軸８２を介して連結されている。ウォームホイール８１は、容器１の下端外側に設けられている。また、容器１とウォームホイール８１との取り付けは、カップ体５の外周に、カップ体５の軸周りに複数の列設される凸部８３を設け、ウォームホイール８１に、内周に凸部８３が夫々着脱可能に嵌合する複数の凹部８４を有した孔８５を設け、ウォームホイール８１の孔８５にカップ体５を挿通して凹部８４に凸部８３を嵌合してなされる。モータ４１ａは、その駆動軸（図示せず）が回動軸８２に接続され、回動軸８２を回動させる。
【００３８】
また、図７及び図８に示すように、容器１のカップ体５の底壁７は、ボルト８により、下端支持部１１の底壁１５に対して回転可能にかつ着脱可能に軸支される。ボルト８は、底壁１５に設けた雌ネジ１８にネジ込まれる。更に、軸部６は、容器本体４の外側斜面に形成され、軸受部１６は、下端支持部１１の開放孔１２側の内周面のみに形成される。
【００３９】
次に、複数の便器の全体のシステムについて説明する。
このシステムには、各便器の排出管１３に連通する複数の汚水管９１と、複数の汚水管９１が接続される汚水本管９０と、汚水管１３の汚水本管９０の末端が接続される汚水貯留槽９２とを備えている。
また、汚水管９１には、各チューブ１４との接続部付近に、汚水管９１を開閉する電磁バルブ９１ａが設けられている。この電磁バルブ９１ａは、バルブコントローラ９３によりその開閉が制御される。このバルブコントローラ９３は、人検知センサ６１の検知及び後述の制御部６０の制御信号に基づいて、電磁バルブ９１ａの開閉の制御を行なう。
【００４０】
汚水本管９０の末端側には、汚水本管９０内部を流れる汚水中のゴミ等の異物を濾し取るストレーナ９０ａが介装されている。このストレーナ９０ａには、目詰まりセンサを備えている。
汚水貯留槽９２にためられた汚水は、汚水吸引ポンプ９７により吸引されて汚水処理装置９４に送給され、汚水処理装置９４で浄化処理される。
また、汚水貯留槽９２には、汚水貯留槽９２中の気体を吸引することにより、排出管１３を流れる汚物を吸引する汚物吸引ポンプ９５が接続されている。
【００４１】
また、便器システムには、洗浄液が貯留される洗浄液貯留槽５４と、洗浄液貯留槽５４の洗浄液を吸引する洗浄液吸引ポンプ５６と、洗浄液吸引ポンプ５６から各便器の洗浄液噴射部のノズル５２に分岐して接続され、各ノズル５２に洗浄液を送給する送給管５５とが備えられている。
更にまた、システムには、モータ４１ａ，洗浄液吸引ポンプ５６，バルブコントローラ９３，汚物吸引ポンプ９５及び汚水吸引ポンプ９７に接続され、これらの作動を制御する制御部６０が設けられている。
【００４２】
制御部６０は、間欠的に各便器を洗浄可能なように、モータ４１ａ，洗浄液吸引ポンプ５６，汚物吸引ポンプ９５及びバルブコントローラ９３を間欠作動させる時間を設定する設定パネル（図示せず）を備えている。また、制御部６０は、汚水貯留槽９２の汚水の水位を検知する水位検知センサ９８の検知に基づいて、汚水吸引ポンプ９７を作動させる。また、制御部６０には、ストレーナ９０ａの目詰まり検知センサが接続されており、ストレーナ９０ａの目詰まりを表示できるようになっている。
その他の構成は上記実施の形態のものと同様である。
【００４３】
この便器を設置するには、予め、取付部７０を壁に設けておく。次に、この取付部７０に下端支持部１１を取り付け、下端支持部１１に容器１の下端側を挿入するとともにウォームホイール８１の孔８５に容器１の下端側を挿通して凹部８４に凸部８３を嵌合し、カップ体５の底壁７にボルト８を挿通して下端支持部１１の底壁１５の雌ネジ１８にネジ込む。次に、隣り合う便器同士のウォーム８０を回動軸８２により連結し、回動軸８２にモータ４１ａを接続する。
この場合、一つのモータ４１ａで複数の容器１を回転させるようにしたので、便器毎にモータ４１ａを設けなくてもよく、それだけ構造が簡単になり、便器の設置を容易に行なうことができる。
【００４４】
この便器を使用すると次のようになる。
各便器において、便器の前に人いることを人検知センサ６１が検知すると、バルブコントローラ９３が電磁バルブ９１ａを開作動させて汚水管９１を開にし、制御部６０が汚物吸引ポンプ９５を作動させる。この状態で、人が放尿し、容器１の上端開口２から汚水が流れ込むと、この汚水は、汚物の出口３から流出し、汚物吸引ポンプ９５の汚水貯留槽９２の気体の吸引により、排出管１３であるチューブ１４，汚水管９１，汚水本管９０を通って汚水貯留槽９２に流れ込み、汚水貯留槽９２に貯留される。
その後、人が放尿を終えて便器の前から人が立ち去ると、人検知センサ６１が便器の前から人をいなくなったことを検知し、この検知に基づいてバルブコントローラ９３が電磁バルブ９１ａを閉作動させて汚水管９１を閉にする。
【００４５】
このように便器が使用されて、制御部６０に設定された設定時間が経過すると、制御部６０は、全てのバルブコントローラ９３を制御して、電磁バルブ９１ａを夫々開作動させて汚水管９１を開にする。次に、洗浄液吸引ポンプ５６で洗浄液貯留槽５４の洗浄液を吸引し、各洗浄液噴射部のノズル５２に送給するとともに、モータ４１ａを駆動させてウォーム８０を回転させ、このウォーム８０と噛合するウォームホイール８１を介して各便器の容器１が回転させられる。
更に、制御部６０に予め設定された洗浄時間が経過すると、洗浄液吸引ポンプ５６を停止し、モータ４１ａを停止し、バルブコントローラ９３を制御して電磁バルブ９１ａを夫々閉作動させて汚水管９１を閉にする。
【００４６】
このように便器の使用が繰り返され、汚水及び洗浄液が、汚水貯留槽９２に貯留され一定以上の水位になったことを水位検知センサが検知すると、制御部６０は、汚水吸引ポンプ９７を作動させて汚水貯留槽９２中の汚水を汚水処理装置９４に送給する。
【００４７】
この便器を掃除する際には、上記と同様にして、多少、容器１の外側に汚水が飛散した程度であれば、雑巾等で拭き取るようにする。また、容器１と、下端支持部１１の間を掃除する場合には、容器１のカップ体５の底部に挿通されたボルトを取り外し、容器１を下端支持部１１から取り外して行なう。
【００４８】
また、便器の容器１に吐瀉物等の粘度が高くて流れない汚物あるいは比較的大きな固形の汚物が入れられる等し、汚物の出口３がこれらで詰まった場合には、角度調整機構３０のピン７５を挿入口及び固定孔７７から引き抜き、回転軸７３を軸に容器１を回転して容器１を傾ける。そして、汚物を、容器１の上端開口２から取り出し、例えば、便器前に置いたバケツ等に入れる。
これにより、上端開口２の向きを調整できるので、容器１に溜まった汚物にあまり手を触れることなく、簡単に除去でき、便器の掃除を容易に行なうことができる。
その後、上記と同様にして下端支持部１１から容器１を取り外して容器１の掃除を行ない、汚物の出口３に詰まったものを取り除き、あるいは、チューブ１４を交換する等する。その後、上記と同様にして、容器１を下端支持部１１に取り付ける。
その他の作用効果は上記実施の形態のものと同様である。
【図面の簡単な説明】
【００４９】
【図１】本発明の実施の形態に係る便器を示す半断面図である。
【図２】本発明の実施の形態に係る便器を示す斜視図である。
【図３】本発明の実施の形態に係る便器の角度調整機構を示す斜視図である。
【図４】本発明の別の実施の形態に係る便器を示す斜視図である。
【図５】本発明の別の実施の形態に係る便器を示す分解斜視図である。
【図６】本発明の別の実施の形態に係る便器を示す一部切り欠き斜視図である。
【図７】本発明の別の実施の形態に係る便器を示す断面図である。
【図８】本発明の別の実施の形態に係る便器を示す断面図である。
【図９】本発明の別の実施の形態に係る便器全体のシステムを示す図である。
【図１０】従来の便器の一例を示す図である。
【符号の説明】
【００５０】
１  容器
２  上端開口
３  汚物の出口
４  容器本体
５  カップ体
６  軸部
７  カップ体の底壁
１０  支持体
１１  下端支持部
１２  開放口
１３  排出管
１３ａ  排出口
１４  チューブ
１５  下端支持部の底壁
１６  軸受部
１７  挿通孔
２０  スタンド
２１  ベース
２２  支柱
２５  伸縮機構
２６  筒体
２７  ロッド
２８  雌ネジ部
２９  ネジ部材
３０  角度調整機構
３１  突設体
３２  保持部材
３３  貫通孔
３４  ロッド取付部
３５  挾持部
３６  板体
３７  軸体
３７ａ  ボルト
３８  ナット
３９  カバー
４０，４０ａ  駆動部
４１，４１ａ  モータ
４２  収納空間
４３  収納ケース
４４  駆動軸
４５  固定ナット
４６  平ワッシャー
４７  パッキン
５０  洗浄手段
５１  洗浄液噴射装置
５２  ノズル
５３  洗浄液噴射部
５４  洗浄液貯留槽
５５  送給管
５６  洗浄液吸引ポンプ
６０  制御部
６１  人検知センサ
７０  取付部
７１  板状体
７２  ストッパ
７３  回転軸
７４  軸受孔
７５  ピン
７６  挿入孔
７７  固定孔
８０  ウォーム
８１  ウォームホイール
８２  回動軸
８３  凸部
８４  凹部
８５  孔
９０  汚水本管
９０ａ  ストレーナ
９１  汚水管
９１ａ  電磁バルブ
９２  汚水貯留槽
９３  バルブコントローラ
９４  汚水処理装置
９５  汚物吸引ポンプ
９６  脱臭装置
９７  汚水吸引ポンプ
９８  水位検知センサ
【図１】
2007162372.tif 000003
【図２】
2007162372.tif 000004
【図３】
2007162372.tif 000005
【図４】
2007162372.tif 000006
【図５】
2007162372.tif 000007
【図６】
2007162372.tif 000008
【図７】
2007162372.tif 000009
【図８】
2007162372.tif 000010
【図９】
2007162372.tif 000011
【図１０】
2007162372.tif 000012